(57)【要約】      （修正有）【課題】光源から出力される光を効率よく利用することが可能な画像投射システムを提供する。【解決手段】光源１０と、光源１０から出力される光を用いて画像を投射する投射装置３０ａ，３０ｂ，３０ｃと、光源１０から出力される光を用いて照明光を出力する照明装置４０と、投射装置３０ａ，３０ｂ，３０ｃ及び照明装置４０に光源１０からの光を出力する光伝送ケーブル２０と、光源１０が投射装置３０ａ，３０ｂ，３０ｃ及び照明装置４０に出力する光量を制御する制御装置５０Ａと、を有する。【選択図】図１
2018013605.tif 000002
【特許請求の範囲】
【請求項１】
光源と、
前記光源から出力される光を用いて画像を投射する投射出力手段と、
前記光源から出力される光を用いて照明光を出力する照明手段と、
前記光源が前記投射出力手段及び前記照明手段に出力する光量を制御する制御手段と、
を有することを特徴とする画像投射システム。
【請求項２】
前記投射出力手段は、異なる場所に設置された第１の投射出力手段と第２の投射出力手段とを含み、
前記照明手段は、前記第１の投射出力手段が設置された場所に照明光を出力するように設置された第１の照明手段を含み、
前記制御手段は、前記光源から前記第１の投射出力手段に光を出力する場合、前記第１の照明手段への光の出力を停止するように、前記光源を制御することを特徴とする請求項１に記載の画像投射システム。
【請求項３】
前記第１の投射出力手段が設置された場所の照度を検出する照度検出手段を有し、
前記制御手段は、前記第１の照明手段への光の出力を停止したときの前記照度検出手段により取得される前記第１の投射出力手段が設置された場所の照度が所定の閾値未満である場合、前記第１の投射出力手段へ出力する光量を小さくし、前記第１の照明手段へ出力する光量を大きくするように、前記光源を制御することを特徴とする請求項２に記載の画像投射システム。
【請求項４】
前記投射出力手段及び前記照明手段が設置された場所に人が存在するか否かを検知する人体検知手段を有し、
前記制御手段は、前記人体検知手段により人が存在すると検知された場所に設置された前記照明手段への光の出力を停止するように、前記光源を制御することを特徴とする請求項１に記載の画像投射システム。
【発明の詳細な説明】
【技術分野】
【０００１】
本発明は、画像投射システムに関する。
【背景技術】
【０００２】
光源に複数の投射装置を接続し、光源から出力される光を用いて複数の投射装置からそれぞれ画像を投射する画像投射システムが知られている（例えば、特許文献１参照）。
【発明の概要】
【発明が解決しようとする課題】
【０００３】
しかしながら、上記の画像投射システムでは、投射装置により画像を投射していない場合には、光源の光量を有効に利用することができない。
【０００４】
そこで、上記課題を鑑み、光源から出力される光を効率よく利用することが可能な画像投射システムを提供することを目的とする。
【課題を解決するための手段】
【０００５】
上記目的を達成するため、本発明の一態様に係る画像投射システムは、光源と、前記光源から出力される光を用いて画像を投射する投射出力手段と、前記光源から出力される光を用いて照明光を出力する照明手段と、前記光源が前記投射出力手段及び前記照明手段に出力する光量を制御する制御手段と、を有することを特徴とする。
【発明の効果】
【０００６】
開示の技術によれば、光源から出力される光を効率よく利用することができる。
【図面の簡単な説明】
【０００７】
【図１】第１の実施形態に係る画像投射システムの全体構成の一例を示す図
【図２】第１の実施形態に係る制御装置の機能構成図
【図３】第１の実施形態に係る画像投射処理の一例を説明するためのフローチャート
【図４】第２の実施形態に係る画像投射システムの全体構成の一例を示す図
【図５】第２の実施形態に係る制御装置の機能構成図
【図６】第２の実施形態に係る画像投射処理の一例を説明するためのフローチャート
【図７】第３の実施形態に係る画像投射システムの全体構成の一例を示す図
【図８】第３の実施形態に係る制御装置の機能構成図
【図９】第３の実施形態に係る画像投射処理の一例を説明するためのフローチャート
【図１０】第４の実施形態に係る画像投射システムの全体構成の一例を示す図
【図１１】第４の実施形態に係る制御装置の機能構成図
【図１２】第４の実施形態に係る画像投射処理の一例を説明するためのフローチャート
【発明を実施するための形態】
【０００８】
以下、本発明の実施形態について添付の図面を参照しながら説明する。なお、本明細書及び図面において、実質的に同一の構成については、同一の符号を付することにより重複した説明を省く。
【０００９】
〔第１の実施形態〕
（画像投射システム）
本発明の第１の実施形態に係る画像投射システムについて説明する。図１は、第１の実施形態に係る画像投射システムの全体構成の一例を示す図である。
【００１０】
図１に示されるように、画像投射システム１Ａは、光源１０と、光伝送ケーブル２０と、投射装置３０（３０ａ、３０ｂ、３０ｃ）と、照明装置４０と、制御装置５０Ａ、通信ケーブル６０とを有する。投射装置３０及び照明装置４０は、光伝送ケーブル２０により光源１０と接続されている。また、光源１０、投射装置３０及び照明装置４０は、通信ケーブル６０により制御装置５０Ａと接続されている。
【００１１】
光源１０は、例えば半導体レーザにより形成されており、光伝送ケーブル２０を介して投射装置３０及び照明装置４０へ所定の光量のレーザ光を出力する。例えば、光源１０が出力可能な最大の光量（以下「最大光量」という。）が１５０００ルーメン（ｌｍ）である場合、光源１０は、最大光量である１５０００ｌｍを超えない範囲内で投射装置３０及び照明装置４０に所定の光量の光を出力する。このとき、投射装置３０及び照明装置４０に出力される光は、同一の光量とすることもでき、異なる光量とすることもできる。具体的には、光源１０は、光量が５０００ｌｍの光を投射装置３０ａへ出力し、光量が３０００ｌｍの光を投射装置３０ｂへ出力し、光量が３０００ｌｍの光を投射装置３０ｃへ出力し、光量が４０００ｌｍの光を照明装置４０へ出力する。光源１０により投射装置３０及び照明装置４０に出力される所定の光量は、制御装置５０Ａにより制御される。
【００１２】
光伝送ケーブル２０は、光源１０と投射装置３０とを接続する。光伝送ケーブル２０は、光源１０から出力されるレーザ光を投射装置３０及び照明装置４０へ伝送する。一実施形態では、光伝送ケーブル２０は、光源１０から出力されるレーザ光を投射装置３０ａ、３０ｂ、３０ｃ及び照明装置４０へ伝送する。光伝送ケーブル２０は、例えば光ファイバにより形成されている。
【００１３】
投射装置３０は、光変調素子と投射レンズ系とを有する。投射装置３０は、光変調素子及び投射レンズ系により、光源１０から出力された光を画像に変換し、大型スクリーン等に投射する。投射装置３０の光変調素子及び投射レンズ系は、制御装置５０Ａにより制御される。一実施形態では、投射装置３０ａ、３０ｂ、３０ｃが、それぞれ場所ａ、ｂ、ｃに設置されている。場所ａ、ｂ、ｃは、それぞれ、例えば会議室等の１つの部屋とすることができる。また、本明細書において、画像とは、静止画、文字、映像等を含む。
【００１４】
照明装置４０は、光源１０から出力された光を照明光として出力する。一実施形態では、照明装置４０は、場所ｄに設置されている。場所ｄは、例えば会議室等の１つの部屋とすることができる。
【００１５】
制御装置５０Ａは、ＣＰＵ（Central Processing Unit）、ＲＯＭ（Read Only Memory）、ＲＡＭ（Random Access Memory）、フラッシュメモリ、ハードディスク等により構成されている。制御装置５０Ａは、光源１０、投射装置３０及び照明装置４０と接続されており、光源１０、投射装置３０及び照明装置４０を制御する。
【００１６】
通信ケーブル６０は、例えばＵＳＢケーブル、シリアルケーブル、ＬＡＮケーブル等の有線ケーブルであってもよく、無線ＬＡＮ通信網等であってもよい。
【００１７】
なお、上記の実施形態では、３つの投射装置３０と１つの照明装置４０とを有する場合を例に挙げて説明したが、投射装置３０及び照明装置４０の数量はこれに限定されるものではなく、少なくとも投射装置３０及び照明装置４０を１つずつ有していればよい。
【００１８】
（制御装置）
第１の実施形態に係る制御装置５０Ａの機能構成の一例について説明する。図２は、第１の実施形態に係る制御装置の機能構成図である。
【００１９】
図２に示されるように、制御装置５０Ａは、出力確認部５１と、判定部５２と、光量決定部５３と、光源制御部５４と、記憶部５５とを有し、これらの機能はＣＰＵ、ＲＯＭ、ＲＡＭ、フラッシュメモリ、ハードディスク等により実現され得る。
【００２０】
出力確認部５１は、投射装置３０及び照明装置４０からの光の出力指示（要求）の有無を確認する。
【００２１】
判定部５２は、出力確認部５１が確認した投射装置３０及び照明装置４０からの光の出力要求の有無に基づいて、すべての投射装置３０及び照明装置４０から光の出力要求がなされているか否かを判定する。
【００２２】
光量決定部５３は、光源１０から投射装置３０及び照明装置４０に出力する光量を決定する。具体的には、光量決定部５３は、光源１０の最大光量を投射装置３０及び照明装置４０に所定の比率で分配し、投射装置３０及び照明装置４０に出力する光量を決定する。所定の比率は、例えばユーザ等により予め記憶部５５に記憶されている。例えば、光源１０の最大光量が１５０００ｌｍである場合、投射装置３０ａ、投射装置３０ｂ、投射装置３０ｃ及び照明装置４０に出力する光量を、それぞれ５０００ｌｍ、３０００ｌｍ、３０００ｌｍ及び４０００ｌｍとすることができる。
【００２３】
また、光量決定部５３は、投射指示がなされた投射装置３０又は照明指示がなされた照明装置４０に出力する光量を決定する。具体的には、光量決定部５３は、光源１０の最大光量からすでに投射装置３０又は照明装置４０に出力している光量の合計を減算した光量（以下「余剰光量」という。）の範囲内で、投射指示がなされた投射装置３０又は照明指示がなされた照明装置４０に出力する光量を決定する。
【００２４】
光源制御部５４は、光量決定部５３により決定された光量が投射装置３０及び照明装置４０に出力されるように光源１０を制御する。
【００２５】
記憶部５５は、出力確認部５１が確認した投射装置３０及び照明装置４０からの光の出力要求の有無、光源１０の最大光量を投射装置３０及び照明装置４０に分配する所定の比率等を記憶する。
【００２６】
（画像投射処理）
第１の実施形態に係る画像投射処理について説明する。図３は、第１の実施形態に係る画像投射処理の一例を説明するためのフローチャートである。
【００２７】
最初に、新たに投射装置３０へ投射指示、又は、照明装置４０への照明指示を受け付けると、出力確認部５１は、光源１０に接続されている投射装置３０及び照明装置４０からの光の出力要求の有無を確認する（ステップＳ１１）。投射装置３０への投射指示、又は、照明装置４０への照明指示は、例えば投射装置３０又は照明装置４０を使用するユーザ等により行われる。なお、光源１０に接続されている投射装置３０及び照明装置４０からの光の出力要求の有無が予め記憶部５５に記憶されている場合には、ステップＳ１１を省略することも可能である。
【００２８】
続いて、判定部５２は、出力確認部５１が確認した投射装置３０及び照明装置４０からの光の出力要求の有無に基づいて、すべての投射装置３０及び照明装置４０から光の出力要求がなされているか否かを判定する（ステップＳ１２）。
【００２９】
ステップＳ１２において、判定部５２がすべての投射装置３０及び照明装置４０から光の出力要求がなされていると判定した場合、光量決定部５３は、光源１０の最大光量を投射装置３０及び照明装置４０に所定の比率で分配し、投射装置３０及び照明装置４０に出力する光量を決定し（ステップＳ１３）、ステップＳ１５へ進む。
【００３０】
ステップＳ１２において、判定部５２が光の出力要求がなされていない投射装置３０又は照明装置４０があると判定した場合、光量決定部５３は、光源１０の余剰光量の範囲内で、投射指示がなされた投射装置３０又は照明指示がなされた照明装置４０に出力する光量を決定し（ステップＳ１４）、ステップＳ１５へ進む。
【００３１】
続いて、光源制御部５４は、ステップＳ１３又はステップＳ１４において光量決定部５３により決定された光量が出力されるように、光源１０を制御する（ステップＳ１５）。
【００３２】
以上により、画像投射処理が終了する。なお、制御装置５０Ａは、投射装置３０への投射指示、又は、照明装置４０への照明指示を受け付けるたびにステップＳ１１からステップＳ１５までの画像投射処理を繰り返す。
【００３３】
以上に説明したように、第１の実施形態では、光源１０に投射装置３０及び照明装置４０が接続されており、制御装置５０Ａが光源１０から投射装置３０及び照明装置４０に出力する光量を制御する。これにより、光源１０からの光が投射装置３０で使用されていない場合であっても、照明装置４０で使用することができる。このため、光源１０から出力される光を効率よく利用することができる。
【００３４】
〔第２の実施形態〕
（画像投射システム）
本発明の第２の実施形態に係る画像投射システムについて説明する。図４は、第２の実施形態に係る画像投射システムの全体構成の一例を示す図である。
【００３５】
図４に示されるように、画像投射システム１Ｂは、投射装置３０（３０ａ、３０ｂ、３０ｃ）の各々に対応して照明装置４０（４０ａ、４０ｂ、４０ｃ）が設けられている点で、第１の実施形態に係る画像投射システム１Ａと異なる。
【００３６】
即ち、画像投射システム１Ｂは、光源１０と、光伝送ケーブル２０と、投射装置３０（３０ａ、３０ｂ、３０ｃ）と、照明装置４０（４０ａ、４０ｂ、４０ｃ、４０ｄ）と、制御装置５０Ｂと、通信ケーブル６０とを有する。投射装置３０及び照明装置４０は、光伝送ケーブル２０により光源１０と接続されている。また、光源１０、投射装置３０及び照明装置４０は、通信ケーブル６０により制御装置５０Ｂと接続されている。
【００３７】
図４に示されるように、一実施形態では、投射装置３０ａ及び照明装置４０ａは、場所ａに設置されている。投射装置３０ｂ及び照明装置４０ｂは、場所ｂに設置されている。投射装置３０ｃ及び照明装置４０ｃは、場所ｃに設置されている。照明装置４０ｄは、場所ｄに設置されている。
【００３８】
なお、光源１０、光伝送ケーブル２０、投射装置３０、照明装置４０及び通信ケーブル６０は、第１の実施形態と同様の構成とすることができるため、説明を省略する。
【００３９】
（制御装置）
第２の実施形態に係る制御装置５０Ｂの機能構成の一例について説明する。図５は、第２の実施形態に係る制御装置の機能構成図である。
【００４０】
図５に示されるように、制御装置５０Ｂは、出力確認部５１と、判定部５２と、光量決定部５３と、光源制御部５４と、記憶部５５とを有し、これらの機能はＣＰＵ、ＲＯＭ、ＲＡＭ、フラッシュメモリ、ハードディスク等により実現され得る。
【００４１】
出力確認部５１、光量決定部５３、光源制御部５４及び記憶部５５は、第１の実施形態と同様の構成とすることができるため、説明を省略する。
【００４２】
判定部５２は、出力確認部５１が確認した投射装置３０及び照明装置４０からの光の出力要求の有無に基づいて、投射指示を受け付けた投射装置３０が設置された場所に出力要求がなされている照明装置４０が存在するか否かを判定する。具体的には、例えば投射装置３０ａが投射指示を受け付けた場合、判定部５２は、投射装置３０ａが設置された場所ａに出力要求がなされている照明装置４０が設置されているか否かを判定する。図４では、場所ａに照明装置４０ａが設置されているので、判定部５２は場所ａに設置されている照明装置４０ａにおいて出力要求がなされている場合、「ＹＥＳ」と判定し、照明装置４０ａにおいて出力要求がなされていない場合、「ＮＯ」と判定する。
【００４３】
（画像投射処理）
第２の実施形態に係る画像投射処理について説明する。図６は、第２の実施形態に係る画像投射処理の一例を説明するためのフローチャートである。
【００４４】
最初に、新たに投射装置３０へ投射指示、又は、照明装置４０への照明指示を受け付けると、出力確認部５１は、光源１０に接続されている投射装置３０及び照明装置４０からの光の出力要求の有無を確認する（ステップＳ２１）。投射装置３０への投射指示、又は、照明装置４０への照明指示は、例えば投射装置３０又は照明装置４０を使用するユーザ等により行われる。なお、光源１０に接続されている投射装置３０及び照明装置４０からの光の出力要求の有無が予め記憶部５５に記憶されている場合には、ステップＳ２１を省略することも可能である。
【００４５】
続いて、判定部５２は、出力確認部５１が確認した投射装置３０及び照明装置４０からの光の出力要求の有無に基づいて、投射指示を受け付けた投射装置３０が設置された場所に出力要求がなされている照明装置４０が存在するか否かを判定する（ステップＳ２２）。
【００４６】
ステップＳ２２において、判定部５２が投射指示を受け付けた投射装置３０が設置された場所に出力要求がなされている照明装置４０が存在すると判定した場合、光量決定部５３は、出力要求がなされている照明装置４０の光量を０（ゼロ）に決定し（ステップＳ２３）、ステップＳ２４へ進む。このとき、照明装置４０から照明光が出力されないが、投射装置３０から光が出力されているため、一定の明るさを維持することができる。
【００４７】
ステップＳ２３において、判定部５２が投射指示を受け付けた投射装置３０が設置された場所に出力要求がなされている照明装置４０が存在しないと判定した場合、ステップＳ２３を行うことなく、ステップＳ２４へ進む。
【００４８】
続いて、光量決定部５３は、光源１０の余剰光量の範囲内で、投射指示がなされた投射装置３０に出力する光量を決定し（ステップＳ２４）、ステップＳ２５へ進む。
【００４９】
続いて、光源制御部５４は、ステップＳ２４において光量決定部５３により決定された光量が出力されるように、光源１０を制御する（ステップＳ２５）。
【００５０】
以上により、画像投射処理が終了する。なお、制御装置５０Ｂは、投射装置３０への投射指示、又は、照明装置４０への照明指示を受け付けるたびにステップＳ２１からステップＳ２５までの画像投射処理を繰り返す。
【００５１】
以上に説明したように、第２の実施形態では、光源１０に投射装置３０及び照明装置４０が接続されており、制御装置５０Ｂが光源１０から投射装置３０及び照明装置４０に出力する光量を制御する。これにより、光源１０からの光が投射装置３０で使用されていない場合であっても、照明装置４０で使用することができる。このため、光源１０から出力される光を効率よく利用することができる。
【００５２】
特に、第２の実施形態では、制御装置５０Ｂは、同じ場所に投射装置３０と照明装置４０が設置されており、投射装置３０に光源１０からの光を出力している場合に照明装置４０への光の出力を停止するように光源１０を制御する。これにより、必要のない光の出力を停止することができるので、光源１０から出力される光を第１の実施形態よりも効率よく利用することができる。
【００５３】
なお、第２の実施形態では、出力要求がなされている照明装置４０の光量を０に決定する場合を例に挙げて説明したが、出力要求がなされている照明装置４０の光量を所定の割合だけ小さくするようにしてもよい。
【００５４】
〔第３の実施形態〕
（画像投射システム）
本発明の第３の実施形態に係る画像投射システムについて説明する。図７は、第３の実施形態に係る画像投射システムの全体構成の一例を示す図である。
【００５５】
図７に示されるように、画像投射システム１Ｃは、投射装置３０（３０ａ、３０ｂ、３０ｃ）及び照明装置４０の各々に対応して人感センサ７０（７０ａ、７０ｂ、７０ｃ、７０ｄ）が設けられている点で、第１の実施形態に係る画像投射システム１Ａと異なる。
【００５６】
即ち、画像投射システム１Ｃは、光源１０と、光伝送ケーブル２０と、投射装置３０（３０ａ、３０ｂ、３０ｃ）と、照明装置４０と、制御装置５０Ｃと、通信ケーブル６０と、人感センサ７０（７０ａ、７０ｂ、７０ｃ、７０ｄ）とを有する。投射装置３０及び照明装置４０は、光伝送ケーブル２０により光源１０と接続されている。また、光源１０、投射装置３０、照明装置４０及び人感センサ７０は、通信ケーブル６０により制御装置５０Ｃと接続されている。
【００５７】
光源１０、光伝送ケーブル２０、投射装置３０、照明装置４０及び通信ケーブル６０は、第１の実施形態と同様の構成とすることができるため、説明を省略する。
【００５８】
人感センサ７０は、投射装置３０及び照明装置４０が設置された場所に対応して設けられている。人感センサ７０は、投射装置３０及び照明装置４０が設置された場所における人の存在の有無を検知する。一実施形態では、人感センサ７０ａ、７０ｂ、７０ｃは、それぞれ投射装置３０ａ、３０ｂ、３０ｃが設置された場所ａ、ｂ、ｃに設けられており、場所ａ、ｂ、ｃにおける人の存在の有無を検知する。また、人感センサ７０ｄは、照明装置４０が設置された場所ｄに設けられており、場所ｄにおける人の存在の有無を検知する。
【００５９】
（制御装置）
第３の実施形態に係る制御装置５０Ｃの機能構成の一例について説明する。図８は、第３の実施形態に係る制御装置の機能構成図である。
【００６０】
図８に示されるように、制御装置５０Ｃは、人体検知部５６を有する点で、第１の実施形態に係る制御装置５０Ａと異なる。即ち、制御装置５０Ｃは、出力確認部５１と、判定部５２と、光量決定部５３と、光源制御部５４と、記憶部５５と、人体検知部５６とを有し、これらの機能はＣＰＵ、ＲＯＭ、ＲＡＭ、フラッシュメモリ、ハードディスク等により実現され得る。
【００６１】
出力確認部５１、光量決定部５３、光源制御部５４及び記憶部５５は、第１の実施形態と同様の構成とすることができるため、説明を省略する。
【００６２】
判定部５２は、出力確認部５１が確認した投射装置３０及び照明装置４０からの光の出力要求の有無及び人体検知部５６が検知した人の存在の有無に基づいて、人が存在しない場所の照明装置４０に光源１０から光が出力されているか否かを判定する。
【００６３】
人体検知部５６は、人感センサ７０の出力に基づいて、人の存在の有無を検知する。具体的には、人体検知部５６は、人感センサ７０ａ、７０ｂ、７０ｃ、７０ｄの出力に基づいて、それぞれ場所ａ、ｂ、ｃ、ｄにおける人の存在の有無を検知する。
【００６４】
（画像投射処理）
第３の実施形態に係る画像投射処理について説明する。図９は、第３の実施形態に係る画像投射処理の一例を説明するためのフローチャートである。
【００６５】
最初に、新たに投射装置３０へ投射指示、又は、照明装置４０への照明指示を受け付けると、出力確認部５１は、光源１０に接続されている投射装置３０及び照明装置４０からの光の出力要求の有無を確認する（ステップＳ３１）。投射装置３０への投射指示、又は、照明装置４０への照明指示は、例えば投射装置３０又は照明装置４０を使用するユーザ等により行われる。なお、光源１０に接続されている投射装置３０及び照明装置４０からの光の出力要求の有無が予め記憶部５５に記憶されている場合には、ステップＳ３１を省略することも可能である。
【００６６】
続いて、人体検知部５６は、人感センサ７０の出力に基づいて、人の存在の有無を検知する（ステップＳ３２）。
【００６７】
続いて、判定部５２は、出力確認部５１が確認した投射装置３０及び照明装置４０からの光の出力要求の有無及び人体検知部５６が検知した人の存在の有無に基づいて、人が存在しない場所の照明装置４０に光源１０から光が出力されているか否かを判定する（ステップＳ３３）。
【００６８】
ステップＳ３３において、判定部５２が、人が存在しない場所の照明装置４０に光源１０から光が出力されていると判定した場合、光量決定部５３は、人が存在しない場所の照明装置４０の光量を０に決定し（ステップＳ３４）、ステップＳ３５へ進む。このとき、照明装置４０から照明光が出力されないが、投射装置３０から光が出力されているため、一定の明るさを維持することができる。
【００６９】
ステップＳ３３において、判定部５２が、人が存在しない場所の照明装置４０に光源１０から光が出力されていないと判定した場合、ステップＳ３４を行うことなく、ステップＳ３５へ進む。
【００７０】
続いて、光量決定部５３は、光源１０の余剰光量の範囲内で、投射指示がなされた投射装置３０に出力する光量を決定し（ステップＳ３５）、ステップＳ３６へ進む。
【００７１】
続いて、光源制御部５４は、ステップＳ３５において光量決定部５３により決定された光量が出力されるように、光源１０を制御する（ステップＳ３６）。
【００７２】
以上により、画像投射処理が終了する。なお、制御装置５０Ｃは、投射装置３０への投射指示、又は、照明装置４０への照明指示を受け付けるたびにステップＳ３１からステップＳ３６までの画像投射処理を繰り返す。
【００７３】
以上に説明したように、第３の実施形態では、光源１０に投射装置３０及び照明装置４０が接続されており、制御装置５０Ｃが光源１０から投射装置３０及び照明装置４０に出力する光量を制御する。これにより、光源１０からの光が投射装置３０で使用されていない場合であっても、照明装置４０で使用することができる。このため、光源１０から出力される光を効率よく利用することができる。
【００７４】
特に、第３の実施形態では、制御装置５０Ｃは、人が存在しない場所に設置されている照明装置４０への光の出力を停止するように光源１０を制御する。これにより、必要のない光の出力を停止することができるので、光源１０から出力される光を第１の実施形態よりも効率よく利用することができる。
【００７５】
〔第４の実施形態〕
（画像投射システム）
本発明の第４の実施形態に係る画像投射システムについて説明する。図１０は、第４の実施形態に係る画像投射システムの全体構成の一例を示す図である。
【００７６】
図１０に示されるように、画像投射システム１Ｄは、照明装置４０（４０ａ、４０ｂ、４０ｃ、４０ｄ）の各々に対応して照度センサ８０（８０ａ、８０ｂ、８０ｃ、８０ｄ）が設けられている点で、第２の実施形態に係る画像投射システム１Ｂと異なる。
【００７７】
即ち、画像投射システム１Ｄは、光源１０と、光伝送ケーブル２０と、投射装置３０（３０ａ、３０ｂ、３０ｃ）と、照明装置４０（４０ａ、４０ｂ、４０ｃ、４０ｄ）と、制御装置５０Ｄと、通信ケーブル６０と、照度センサ８０（８０ａ、８０ｂ、８０ｃ、８０ｄ）とを有する。投射装置３０及び照明装置４０は、光伝送ケーブル２０により光源１０と接続されている。また、光源１０、投射装置３０、照明装置４０及び照度センサ８０は、通信ケーブル６０により制御装置５０Ｄと接続されている。
【００７８】
光源１０、光伝送ケーブル２０、投射装置３０、照明装置４０及び通信ケーブル６０は、第２の実施形態と同様の構成とすることができるため、説明を省略する。
【００７９】
照度センサ８０は、照明装置４０が設置された場所に対応して設けられており、照明装置４０が設置された場所の照度を検出する。一実施形態では、照度センサ８０ａが、投射装置３０ａ及び照明装置４０ａが設置された場所ａに設けられている。照度センサ８０ｂが、投射装置３０ｂ及び照明装置４０ｂが設置された場所ｂに設けられている。照度センサ８０ｃが、投射装置３０ｃ及び照明装置４０ｃが設置された場所ｃに設けられている。照度センサ８０ｄが、照明装置４０ｄが設置された場所ｄに設けられている。照度センサ８０ａ、８０ｂ、８０ｃ、８０ｄは、それぞれ場所ａ、ｂ、ｃ、ｄの照度を検出する。
【００８０】
（制御装置）
第４の実施形態に係る制御装置５０Ｄの機能構成の一例について説明する。図１１は、第４の実施形態に係る制御装置の機能構成図である。
【００８１】
図１１に示されるように、制御装置５０Ｄは、照度取得部５７を有する点で、第２の実施形態に係る制御装置５０Ｂと異なる。即ち、制御装置５０Ｄは、出力確認部５１と、判定部５２と、光量決定部５３と、光源制御部５４と、記憶部５５と、照度取得部５７とを有し、これらの機能はＣＰＵ、ＲＯＭ、ＲＡＭ、フラッシュメモリ、ハードディスク等により実現され得る。
【００８２】
出力確認部５１、光量決定部５３、光源制御部５４及び記憶部５５は、第２の実施形態と同様の構成とすることができるため、説明を省略する。
【００８３】
判定部５２は、照度取得部５７が取得した照度に基づいて、照度センサ８０が設置された場所の照度が所定の閾値以上であるか否かを判定する。所定の閾値は、例えば会議室等の場所の用途に応じて予め設定しておけばよい。
【００８４】
照度取得部５７は、照度センサ８０の出力に基づいて、照度センサ８０が設置された場所の照度を取得する。具体的には、照度取得部５７は、照度センサ８０ａ、８０ｂ、８０ｃ、８０ｄの出力に基づいて、それぞれ場所ａ、ｂ、ｃ、ｄの照度を取得する。
【００８５】
（画像投射処理）
第４の実施形態に係る画像投射処理について説明する。図１２は、第４の実施形態に係る画像投射処理の一例を説明するためのフローチャートである。
【００８６】
第４の実施形態に係る画像投射処理におけるステップＳ４１からステップＳ４５までについては、第２の実施形態に係る画像投射処理におけるステップＳ２１からステップＳ２５までと同様とすることができるため、説明を省略する。以下、ステップＳ４６からステップＳ４８までについて説明する。
【００８７】
ステップＳ４５において、光源制御部５４が光源１０を制御した後、照度取得部５７は、照度センサ８０の出力に基づいて、照明装置４０の光量を０に設定した場所の照度を取得する（ステップＳ４６）。
【００８８】
続いて、判定部５２は、照度取得部５７が取得した照度に基づいて、照明装置４０の光量を０に設定した場所の照度が所定の閾値以上であるか否かを判定する（ステップＳ４７）。
【００８９】
ステップＳ４７において、判定部５２が照明装置４０の光量を０に設定した場所の照度が所定の閾値以上であると判定した場合、明るさは十分であると判断し、処理を終了する。
【００９０】
ステップＳ４７において、判定部５２が照明装置４０の光量を０に設定した場所の照度が所定の閾値未満であると判定した場合、光量決定部５３は、照明装置４０の光量を０に設定した場所に設置された投射装置３０及び照明装置４０の光量を調整する（ステップＳ４８）。具体的には、光量決定部５３は、照明装置４０の光量を０に設定した場所に設置された投射装置３０の光量を小さくし、照明装置４０の光量を大きくする。その後、ステップＳ４５へ戻る。
【００９１】
以上により、画像投射処理が終了する。なお、制御装置５０Ｄは、投射装置３０への投射指示、又は、照明装置４０への照明指示を受け付けるたびにステップＳ４１からステップＳ４８までの画像投射処理を繰り返す。
【００９２】
以上に説明したように、第４の実施形態では、光源１０に投射装置３０及び照明装置４０が接続されており、制御装置５０Ｄが光源１０から投射装置３０及び照明装置４０に出力する光量を制御する。これにより、光源１０からの光が投射装置３０で使用されていない場合であっても、照明装置４０で使用することができる。このため、光源１０から出力される光を効率よく利用することができる。
【００９３】
特に、第４の実施形態では、制御装置５０Ｄは、照明装置４０の光量を０に設定した場所の照度が所定の閾値未満である場合、照度が所定の閾値以上となるように当該場所に設置された投射装置３０及び照明装置４０の光量を調整する。これにより、当該場所の用途に応じて必要な照度を維持した状態で、光源１０から照明装置４０に出力される光を小さくすることができる。
【００９４】
なお、上記の各実施形態において、投射装置３０は投射出力手段の一例であり、照明装置４０は照明手段の一例であり、制御装置５０は制御手段の一例であり、人感センサ７０は人体検知手段の一例であり、照度センサ８０は照度検出手段の一例である。
【００９５】
以上、本発明の実施形態について説明したが、上記内容は、発明の内容を限定するものではなく、本発明の範囲内で種々の変形及び改良が可能である。
【符号の説明】
【００９６】
１    画像投射システム
１０  光源
２０  光伝送ケーブル
３０  投射装置
４０  照明装置
５０  制御装置
５１  出力確認部
５２  判定部
５３  光量決定部
５４  光源制御部
５５  記憶部
５６  人体検知部
５７  照度取得部
６０  通信ケーブル
７０  人感センサ
８０  照度センサ
【先行技術文献】
【特許文献】
【００９７】
【特許文献１】特表２０１２−５２９２２２号公報
【図１】
2018013605.tif 000003
【図２】
2018013605.tif 000004
【図３】
2018013605.tif 000005
【図４】
2018013605.tif 000006
【図５】
2018013605.tif 000007
【図６】
2018013605.tif 000008
【図７】
2018013605.tif 000009
【図８】
2018013605.tif 000010
【図９】
2018013605.tif 000011
【図１０】
2018013605.tif 000012
【図１１】
2018013605.tif 000013
【図１２】
2018013605.tif 000014